(57)【要約】【課題】特色を用いることなく、光沢感を保ったままメタリック色を色再現する色再現装置を提供する。【解決手段】メタリック色のシミュレーションを行う場合、色分布データベース２５を参照し、メタリック色となる領域の各ピクセルの色を、その色分布からランダムに抽出する。ピクセル毎に抽出された色をそのピクセルの色に設定する。この結果、メタリック色の領域は１つの色で塗られることなく、色空間上で分布（範囲）を持った複数の色で塗られることとなる。【選択図】図１
2007282056.tif 000002
【特許請求の範囲】
【請求項１】
メタリック色を再現する色再現装置であって、
デバイス非依存の色空間における前記メタリック色の色分布から、当該メタリック色の領域となる所定ピクセル毎に色を選択する色選択手段と、
前記選択された各色の値をデバイス依存の色空間上の値に変換する色変換手段とを備え、
前記変換されたデバイス依存の色空間上の値を基に、当該デバイスで使用される複数の色で前記メタリック色を再現することを特徴とする色再現装置。
【請求項２】
前記色選択手段は、前記所定ピクセル毎に前記色分布に内包される色を無作為に選択することを特徴とする請求項１記載の色再現装置。
【請求項３】
前記デバイス非依存の色空間上に前記メタリック色の色分布を生成する色分布生成手段を備えたことを特徴とする請求項１記載の色再現装置。
【請求項４】
対象物に表現されたメタリック色を読み取る読取手段を備え、
前記色分布生成手段は、前記読み取られたメタリック色の色分布を生成することを特徴とする請求項３記載の色再現装置。
【請求項５】
前記読み取られたメタリック色のデータ群の統計データを基に、前記データ群の中から所定のデータを削除するデータ削除手段を備え、
前記色分布生成手段は、前記データが削除されたメタリック色のデータ群から前記色分布を生成することを特徴とする請求項４記載の色再現装置。
【請求項６】
前記データ削除手段は、前記メタリック色のデータ群の平均値および標準偏差を用いて、前記平均値を中心とする所定範囲から外れるデータを削除することを特徴とする請求項５記載の色再現装置。
【請求項７】
前記読み取られたメタリック色の色分布を表す３次元凸包を作成する３次元凸包作成手段と、
前記作成された３次元凸包を形成するデータをデータベースに登録するデータベース化手段とを備え、
前記色分布生成手段は、前記データベースに登録された３次元凸包を形成するデータを用いて前記色分布を生成することを特徴とする請求項４記載の色再現装置。
【請求項８】
前記デバイスは印刷装置であり、前記印刷装置で使用される複数のインク色で前記メタリック色を再現することを特徴とする請求項１乃至７のいずれかに記載の色再現装置。
【請求項９】
メタリック色を再現する色再現方法であって、
デバイス非依存の色空間における前記メタリック色の色分布から、当該メタリック色の領域となる所定ピクセル毎に色を選択する色選択ステップと、
前記選択された各色の値をデバイス依存の色空間上の値に変換する色変換ステップと、
前記変換されたデバイス依存の色空間上の値を基に、当該デバイスで使用される複数の色で前記メタリック色を再現する色再現ステップとを有することを特徴とする色再現方法。
【請求項１０】
請求項１乃至８のいずれかに記載の色再現装置を実現するためのコンピュータ読み取り可能なプログラムコードを有するプログラム。
【請求項１１】
請求項１０記載のプログラムを格納した記憶媒体。
【発明の詳細な説明】
【技術分野】
【０００１】
本発明は、メタリック色を再現する色再現装置および色再現方法に関する。
【背景技術】
【０００２】
印刷サービスや出版サービス等の提供では、印刷機を用いて印刷作業を行う際、印刷機による本印刷の前に、シミュレーションデバイスを用いて色校正を行うことが一般的である。シミュレーションデバイス（色再現装置）として、校正印刷機、電子写真式あるいはインクジェット式のＰＣ用プリンタ、ＰＣモニタ等が用いられる。従来、色再現装置として、特許文献１に記載のものが知られている。
【０００３】
ここで、色校正は、シミュレーションデバイスにより出力された出力結果（プリンタ出力、モニタ出力等）を参照しながら行われる。従って、この出力結果で色再現される色は、本印刷で印刷機により表現される色と一致することが望ましい。このため、本印刷に用いられる印刷機で表現される様々な色を、シミュレーションデバイスの色空間上で正確にシミュレーション（色再現）する技術が求められている。
【０００４】
一般に、印刷機は、シアン（Ｃ）、マゼンタ（Ｍ）、イエロー（Ｙ）、ブラック（Ｋ）からなる４つの色材の減法混色により様々な色を表現する。この４色は「プロセスカラー」と呼ばれる。
【０００５】
色校正の際に用いられるシミュレーションデバイスは、プロセスカラーの減法混色により表現される各色を、カラーマネージメント技術を用いて色再現している。即ち、シミュレーションデバイスは、デバイスの特性が記述されたデータベースであるプロファイルを用いて、デバイス間（印刷機とシミュレーションデバイスとの間）の色再現特性の違いを吸収する。これにより、プロセスカラーの減法混色により表現された様々な色を正確に色再現することが可能である。
【０００６】
しかし、印刷機では、上記プロセスカラーの他に、特色インクと呼ばれるプロセスカラー以外の色材を用いて色を表現することがある。これは、第１にプロセスカラーによる減法混色では色再現の困難な色があるからであり、第２に特色インクを用いることで印刷時のコストを抑えることができる場合があるからである。特に、印刷機による印刷では、ロゴや広告のタイトルなどに金や銀といった光沢のある特色インクが使われることが多い。このような光沢のある色をメタリック色と呼ぶ。
【０００７】
ここで、このような特色インクをシミュレーションデバイス上で色再現するべく、前述したカラーマネジメント技術の適用について検討する。この技術に用いられるユーザインタフェースに従って、ユーザが特色インクの名称を入力すると、この特色インクの色を特定する色空間上の値が読み出される。色空間上の値は予め記憶媒体に格納されており、例えば、Ｌ＊ａ＊ｂなど、デバイス非依存の色空間上の値が読み出される。この後、この読み出された値は、ＣＭＹＫ値などのデバイス依存の色空間上の値に変換される。そして、変換された値がシミュレーションデバイスに出力されると、シミュレーションデバイス上では、特色インクに対応する色再現が実現される。        
【特許文献１】特開平11-313216号公報
【発明の開示】
【発明が解決しようとする課題】
【０００８】
しかしながら、上記従来の色再現装置では、以下に掲げる問題があった。即ち、シミュレーションデバイスとして、電子写真方式のプリンタは本印刷の色校正に使用されるが、ＣＭＹＫの色材しか持っておらず、特色を扱えないものが多かった。このため、メタリック色のような光沢感を再現することが難しかった。
【０００９】
これは、メタリック色では環境光を反射する際、通常の色よりも乱反射が多いので、見た目上、１つの色（分光分布）を持つものではなく、複数の色となって見えるためと考えられる（図５参照）。従来のプリンタでは、１つの特色は１つの色にしか変換されないので、このような光沢感を得ることは不可能であった。
【００１０】
そこで、本発明は、特色を用いることなく、光沢感を保ったままメタリック色を色再現する色再現装置および色再現方法を提供することを目的とする。
【課題を解決するための手段】
【００１１】
上記目的を達成するために、本発明の色再現装置は、メタリック色を再現する色再現装置であって、デバイス非依存の色空間における前記メタリック色の色分布から、当該メタリック色の領域となる所定ピクセル毎に色を選択する色選択手段と、前記選択された各色の値をデバイス依存の色空間上の値に変換する色変換手段とを備え、前記変換されたデバイス依存の色空間上の値を基に、当該デバイスで使用される複数の色で前記メタリック色を再現することを特徴とする。
【００１２】
本発明の色再現方法は、メタリック色を再現する色再現方法であって、デバイス非依存の色空間における前記メタリック色の色分布から、当該メタリック色の領域となる所定ピクセル毎に色を選択する色選択ステップと、前記選択された各色の値をデバイス依存の色空間上の値に変換する色変換ステップと、前記変換されたデバイス依存の色空間上の値を基に、当該デバイスで使用される複数の色で前記メタリック色を再現する色再現ステップとを有することを特徴とする。
【発明の効果】
【００１３】
本発明の請求項１に係る色再現装置によれば、メタリック色の領域は１つの色で塗られることなく、色空間上で分布を持った複数の色で塗られることとなる。これにより、特色を用いることなく、光沢感を保ったままメタリック色を色再現することができる。
【００１４】
請求項２に係る色再現装置によれば、メタリック色の色再現性を高めることができる。請求項３に係る色再現装置によれば、色再現可能なメタリック色を増やすことができる。請求項４に係る色再現装置によれば、簡単にメタリック色の色分布を生成することができる。
【００１５】
請求項５、６に係る色再現装置によれば、ノイズと思われるデータを自動的に削除することができる。例えば、スキャナを用いることで生じるゴミ等の影響により、本来と違う色が読み取られるおそれを回避できる。
【００１６】
請求項７に係る色再現装置によれば、膨大になりがちなデータ量を圧縮することができる。
【００１７】
請求項８に係る色再現装置によれば、ＣＭＹＫ等の色材しか持たない印刷装置でも、特色インクを用いることなくメタリック色を色再現することができる。
【発明を実施するための最良の形態】
【００１８】
本発明の色再現装置および色再現方法の実施の形態について図面を参照しながら説明する。本実施形態の色再現装置は、スキャナ、シミュレーションデバイスおよび情報処理装置からなる色再現システムに適用される。また、シミュレーションデバイスとして、本実施形態では、電子写真方式のカラーレーザプリンタが用いられる。
【００１９】
図１は実施の形態における色再現システムの全体的構成を示す図である。この色再現システムは、スキャナ５、シミュレーションデバイス１０および情報処理装置１５を有する。情報処理装置１５は、ＤＴＰアプリ２１、ＲＩＰシステム２２、メタリック色生成モジュール２３、色分布生成モジュール２７、色変換エンジン２４および色分布ＤＢ２５からなる機能的構成を有する。
【００２０】
図２は情報処理装置１５のハードウェア構成を示す図である。情報処理装置１５は、バス３７を介して接続される周知のＣＰＵ３１、ＲＯＭ３２、ＲＡＭ３３、ストレージメモリ３５、ユーザインタフェース（操作部）３６等を有する汎用のＰＣから構成される。また、本実施形態では、ＤＴＰアプリケーション２１からのデータを印刷可能なビットマップデータに展開するＲＩＰシステム２２が専用のハードウェアとしてバス３７に接続されている。
【００２１】
ストレージメモリ３５には、ＤＴＰアプリケーション２１、色変換エンジン２４および色分布データベース（ＤＢ）２５が格納されている。また、ストレージメモリ３５には、後述する色分布データベース生成処理プログラム、色生成処理プログラム等のソフトウェアが格納されている。ＣＰＵ３１がこれらのプログラムを一旦ＲＡＭ３３に読み出して実行することにより、前述したメタリック色生成モジュール２３およびメタリック色色分布作成モジュール２７の各機能は実現される。
【００２２】
ＲＩＰ（Raster Image Processor）システム２２は、ＤＴＰアプリケーション２１から入力されたデータのうち、メタリック色の部分を抽出する。抽出した部分のメタリック色の名前および出力すべきピクセル数を計算し、メタリック色生成モジュール２３に出力する。また、メタリック色生成モジュール２３から与えられたピクセル数個分のデバイス非依存の値を、色変換エンジン２４を用いてそれぞれデバイス依存の値に色変換する。色変換エンジン２４には、デバイス（スキャナ、シミュレーションデバイス）の色特性を示すＩＣＣプロファイルが備わっている。ＲＩＰシステム２２は、色変換された値をシミュレーションデバイス１０に出力する。シミュレーションデバイス１０は、入力されたデバイス依存の値を基に画像を出力する。ここで、デバイス非依存の色空間として、本実施形態では、ＣＩＥＬ＊ａ＊ｂ＊（以下、Ｌａｂという）空間が用いられる。
【００２３】
メタリック色生成モジュール２３は、ＲＩＰシステム２２から入力されたメタリック色の名前（特色名）および色分布データベース２５を基に、ピクセル数個分のデバイス非依存の値を生成し、ＲＩＰシステム２２にその結果を返す。
【００２４】
メタリック色色分布作成モジュール２７は、色分布データベース２５を作成する際、スキャナ５から得られたメタリック色の色分布データ（データ群）に対し、ノイズ除去、データ数削減等の加工を行う。そして、加工後の色分布データを色分布データベース２５に保存する。
【００２５】
図３はシミュレーションデバイスとしてのカラーレーザプリンタの構成を示す図である。カラーレーザプリンタ１０は、像担持体である感光ドラム７１を有し、電子写真方式により画像を形成する。感光ドラム７１は、図中矢印ａ方向に回転駆動され、その回転過程で一次帯電器（帯電ローラ）８２によりその表面が一様に帯電される。
【００２６】
さらに、露光装置（レーザスキャナ）７３により、第１色としてイエローの画像パターンに応じたレーザ光が照射され、感光ドラム１の表面に第１色の静電潜像が形成される。レーザ光は、レーザ出力信号に従って生成される。
【００２７】
レーザ光によって感光ドラム７１上に形成された潜像は、感光ドラム７１の回転に伴い、感光ドラム７１と対向するイエロートナーの入った現像器７４ｙにより現像され、イエロートナー像として可視化される。現像器７４ｙ、７４ｍ、７４ｃ、７４ｋは、回転支持体（ロータリドラム）７５に支持され、現像に先立って所定の現像器が感光ドラム７１と対向する位置に回転移動する。現像により得られたトナー像は、感光ドラム７１と略同速で矢印ｂ方向に回転している中間転写ベルト（ベルト状中間転写体）７６の表面に転写される（一次転写）。この一次転写は、中間転写ベルト７６内側の一次転写ローラ７７ａに印加された一次転写バイアスにより行われる。一方、感光ドラム７１上に残っている転写残りトナーは、ブレード７８により除去される（クリーニング）。
【００２８】
このような帯電、露光、現像および１次転写からなる工程を、イエローに引き続き、マゼンタ、シアン、ブラックの各色で行う。これにより、中間転写ベルト７６上には、イエロー、マゼンタ、シアン、ブラックの４色のトナー像を重ね合わせたカラー画像が得られる。
【００２９】
中間転写ベルト７６上に重畳した４色のトナー像は、ピックアップローラ７９によって所定のタイミングで中間転写ベルト７６に送られてくる転写材の表面に、一括して転写される（二次転写）。この二次転写は、中間転写ベルト７６内側の二次転写ローラ７７ｂに印加された二次転写バイアスにより行われる。４色のトナー像が転写された転写材は、搬送ベルト８０によって定着装置８１に送られる。定着装置８１において、加熱および加圧されたトナーは、溶融して転写材に固着し、最終的なフルカラー画像になる。
【００３０】
スキャナ５は、原稿台ガラスに載置された、シミュレーションしたいメタリック色の色票、あるいはメタリック色を撮影した写真などを読み取り、デバイス特有の色空間であるＲＧＢデータに変換する。このデータ量はスキャナで読み取った画素数に比例する。例えば、１インチ四方の色の色票を解像度２００ｄｐｉで読み取った場合、４００００画素に相当するデータ量になる。
【００３１】
上記構成を有する色再現システムの動作を示す。図４は色分布データベースを作成するメタリック色色分布作成モジュール２７による色分布作成処理手順を示すフローチャートである。この処理プログラムは、前述したように、ストレージメモリ３５内に格納されており、ＣＰＵ３１によって一旦ＲＡＭ３３に読み出されて実行される。まず、ユーザインタフェース（操作部）３６を介してオペレータから入力される、ターゲットとなるメタリック色の名称（特色名）を取得する（ステップＳ１）。さらに、オペレータによってスキャナ５の原稿台ガラス（図示せず）にセットされたターゲットのメタリック色の色票や写真を走査（スキャン）し、そのデータを読み取る（ステップＳ２）。
【００３２】
得られたスキャン画像中、メタリック色領域内の各画素のＲＧＢ値を、色変換エンジン２４を用いてＬａｂ値に変換する（ステップＳ３）。このときの色変換は、スキャナのデバイス特性を示すＩＣＣプロファイルによる色変換など、従来と同様の方式で行われる。こうして得られた各Ｌａｂ値は、ターゲットのメタリック色がどのような色分布を持っているかを示したものとなっている。図５はＬａｂ空間における金色の色分布を示すグラフである。同図（Ａ）はａｂ平面における色分布を示し、同図（Ｂ）はＬｂ平面における色分布を示す。この後、この色分布をデータベース化し、色分布データベース２５に保存する（ステップＳ４）。この後、本処理を終了する。
【００３３】
ここで、色分布をデータベース化する方法を示す。ステップＳ３で得られるＬａｂデータには、次のような問題がある。第１に、スキャナによって取り込まれたデータには、ゴミ等の影響によるものが含まれる他、ノイズが混入することがある。第２に、画素数がそのままＬａｂデータの数であるので、データ量が膨大になる場合が多い。
【００３４】
そこで、第１の問題を回避するため、Ｌａｂデータ群のL方向、ａ方向、ｂ方向のそれぞれについて、平均値および標準偏差を求める。これら平均値および標準偏差を用い、Ｌａｂ空間上、ノイズと思われる、塊となっているデータ群から遠く離れたデータを削除する。
【００３５】
具体的に、図を用いて説明する。図６はＬａｂ空間における青緑系メタリック色の色分布を示す図である。図中、点（データ）群５１は、Ｌａｂ空間における青緑系メタリック色の色分布を示す。点群を囲む直方体５５は、点群５１の平均値を中心点とし、Ｌ，ａ，ｂ各方向の辺の長さがそれぞれＬ，ａ，ｂ各成分の標準偏差の８倍となるように設定されたものである。ノイズと思われるデータを削除する場合、この直方体５５の外側にあるデータをノイズとみなし、データ群５１から削除する。このように、直方体５５を閾値として扱う。なお、閾値を与える直方体の大きさは、標準偏差の他、分散値等の統計データを手がかりに任意に設定可能である。また、直方体の代わりに、標準偏差等を半径のパラメータとする楕円体を用いてもよい。これにより、スキャナを用いることで生じるゴミ等の影響により、本来と違う色が読み取られるおそれを回避できる。
【００３６】
また、第２の問題を回避するため、ノイズデータが削除されたデータ群を用いて、３次元凸包を生成し、必要なデータのみを残すようにする。図７は図６のデータ群５１の３次元凸包を示す図である。３次元凸包５８は、色空間上のデータ群（点群）を包含する立体であり、最も外側の点を結んで構成される。図６のデータ数は、全部で１６，０００以上であるが、図７の３次元凸包に使用されるデータ数は５０個である。従って、この場合、約０．３％にまでデータを圧縮することが可能となる。そして、３次元凸包５８を形成するデータ群を、入力された特色名に対応付けて色分布データベース２５に保存する。これにより、データ量を大幅に削減できる。
【００３７】
図８は色分布データベース２５を用いて色の値を生成するメタリック色生成モジュール２３による色生成処理手順を示すフローチャートである。この処理プログラムはストレージメモリ３５内に格納されており、ＣＰＵ３１によって一旦ＲＡＭ３３に読み出されて実行される。ＤＴＰアプリケーション２１で作成されたデータをシミュレーションデバイス１０に出力する場合、予めＤＴＰアプリケーション２１からメタリック色を含むデータがＲＩＰシステム２２に送られる。
【００３８】
まず、ＲＩＰシステム２２から入力される、シミュレーションしたいメタリック色の名称（特色名）およびピクセル数を取得する（ステップＳ１１）。この取得した特色名を元に、色分布データベース２５から、シミュレーションしたいメタリック色の３次元凸包（色分布）を取得する（ステップＳ１２）。
【００３９】
取得した３次元凸包（色分布）から点（Ｌａｂ値）を無作為（ランダム）に抽出し（ステップＳ１３）、この抽出したＬａｂ値を出力する（ステップＳ１４）。この後、抽出したＬａｂ値の個数が入力されたピクセル数に達したか否かを判別する（ステップＳ１５）。達した場合、本処理を終了する。一方、達していない場合、ステップＳ１３の処理に戻って、ピクセル数に達するまで同様の処理を繰り返す。
【００４０】
図９は金色系メタリック色のシミュレーション結果を示す図である。同図（Ａ）は本実施形態のシミュレーション結果を示す。同図（Ｂ）は従来のＩＣＣプロファイルを用いた色変換のみによるシミュレーション結果を示す。図１０は図９のシミュレーション結果の一部分を拡大して示す図である。図１０（Ａ）は図９（Ａ）に対応し、図１０（Ｂ）は図９（Ｂ）に対応する。図１０において、升目に区切られた各四角形はピクセルを表している。本実施形態のシミュレーション結果では、ピクセル毎に異なるＬａｂ値による色が表現されている（図１０（Ａ）中、各四角形内の模様を変えることで、Ｌａｂ値が異なることを表している）。一方、従来では、全てのピクセルにおいて、同一のＬａｂ値による色が表現されている（図１０（Ｂ）参照）。このように、本実施形態のシミュレーションによるメタリック色では、ピクセル毎に異なる色（Ｌａｂ値）が配されることにより、光沢感を保ったままメタリック色が色再現される（図９（Ａ）参照）。
【００４１】
以上示したように、本実施形態の色再現システムでは、メタリック色のシミュレーションを行う場合、以下の動作が行われる。色分布データベース２５を参照し、メタリック色となる領域の各ピクセルの色を、その色分布から任意の方法（例えば、ランダム）で抽出する。そして、ピクセル毎に抽出された色をそのピクセルの色に設定する。この結果、メタリック色の領域は１つの色で塗られることなく、色空間上で分布（範囲）を持った複数の色で塗られることとなる。これにより、特色インクを用いることなく、光沢感を保ったままメタリック色を色再現することができる。
【００４２】
なお、本発明は、上記実施形態の構成に限られるものではなく、特許請求の範囲で示した機能、または本実施形態の構成が持つ機能が達成できる構成であればどのようなものであっても適用可能である。
【００４３】
例えば、上記実施形態では、ピクセル毎に色分布データベースを参照し、色分布に内包される任意の点を抽出していたが、所定ピクセル（例えば、複数ピクセル）毎に抽出するようにしてもよい。また、上記実施形態では、ランダムに抽出していたが、所定の規則に則って抽出するようにしてもよい。例えば、色分布の中心付近から外側に向かって順番に点を抽出する動作を繰り返すようにしてもよい。あるいは、Ｌ，ａ，ｂの順番で各方向に沿って抽出するようにしてもよい。
【００４４】
また、上記実施形態では、デバイス非依存の色空間として、Ｌａｂ空間を用いているが、他のデバイス非依存の色空間（例えばＬｕｖ空間、Ｊｃｈ空間等）でもよい。また、上記実施形態では、ＲＩＰシステムは、専用のハードウェアで構成されていたが、ソフトウェアで構成されてもよいことは勿論である。
【００４５】
また、シミュレーションデバイスとして、上記実施形態では、ＣＭＹＫのインク色を有する電子写真方式のカラーレーザプリンタが用いた。印刷方式としては、電子写真方式に限定されず、例えば、インクジェット方式、熱転写方式、感熱方式、静電方式、放電破壊方式など各種印刷方式でもよい。また、シミュレーションデバイスとして、印刷装置に限らず、ＲＧＢ信号を用いたディスプレイ装置であってもよい。
【００４６】
また、色再現システムとして、本実施形態では、汎用のＰＣにカラーレーザプリンタおよびスキャナ装置が接続された場合を示した。このような構成に限ることなく、色再現処理機能を有し、かつ印刷、コピー、スキャナ機能を有する複合機（ＭＦＰ）で、色再現システムを構成してもよい。
【００４７】
また、本発明の目的は、以下によっても達成される。即ち、前述した各実施の形態の機能を実現するソフトウェアのプログラムコードを記憶した記憶媒体を、システム或いは装置に供給する。そのシステム或いは装置のコンピュータ（またはＣＰＵやＭＰＵ等）が記憶媒体に格納されたプログラムコードを読み出して実行する。
【００４８】
この場合、記憶媒体から読み出されたプログラムコード自体が前述した各実施の形態の機能を実現することになる。また、そのプログラムコード及び該プログラムコードを記憶した記憶媒体は本発明を構成することになる。
【００４９】
また、プログラムコードを供給するための記憶媒体として、例えば、フロッピー（登録商標）ディスク、ハードディスク、光磁気ディスク、ＣＤ−ＲＯＭ、ＣＤ−Ｒ、ＣＤ−ＲＷを用いることができる。また、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、ネットワークを介してプログラムコードをダウンロードしてもよい。
【００５０】
また、コンピュータが読み出したプログラムコードを実行することにより、前述した各実施の形態の機能が実現されるだけではなく、以下の場合も含まれる。即ち、そのプログラムコードの指示に基づき、コンピュータ上で稼動しているＯＳ（オペレーティングシステム）等が実際の処理の一部または全部を行う。このような処理によって前述した各実施の形態の機能が実現される場合も含まれる。
【００５１】
さらに、記憶媒体から読み出されたプログラムコードが、コンピュータに挿入された機能拡張ボードやコンピュータに接続された機能拡張ユニットに備わるメモリに書き込まれる。この後、そのプログラムコードの指示に基づき、その拡張機能を拡張ボードや拡張ユニットに備わるＣＰＵ等が実際の処理の一部または全部を行う。このような処理によって前述した各実施の形態の機能が実現される場合も含まれる。
【図面の簡単な説明】
【００５２】
【図１】実施の形態における色再現システムの全体的構成を示す図である。
【図２】情報処理装置１５のハードウェア構成を示す図である。
【図３】シミュレーションデバイスとしてのカラーレーザプリンタの構成を示す図である。
【図４】色分布データベースを作成するメタリック色色分布作成モジュール２７による色分布作成処理手順を示すフローチャートである。
【図５】Ｌａｂ空間における金色の色分布を示すグラフである。
【図６】Ｌａｂ空間における青緑系メタリック色の色分布を示す図である。
【図７】図６のデータ群５１の３次元凸包を示す図である。
【図８】色分布データベース２５を用いて色の値を生成するメタリック色生成モジュール２３による色生成処理手順を示すフローチャートである。
【図９】金色系メタリック色のシミュレーション結果を示す図である。
【図１０】図９のシミュレーション結果の一部分を拡大して示す図である。
【符号の説明】
【００５３】
５  スキャナ
１０  シミュレーションデバイス（カラーレーザプリンタ）
１５  情報処理装置
２２  ＲＩＰシステム
２３  メタリック色生成モジュール
２５  色分布データベース（ＤＢ）
２７  メタリック色色分布生成モジュール
【図１】
2007282056.tif 000003
【図２】
2007282056.tif 000004
【図３】
2007282056.tif 000005
【図４】
2007282056.tif 000006
【図５】
2007282056.tif 000007
【図６】
2007282056.tif 000008
【図７】
2007282056.tif 000009
【図８】
2007282056.tif 000010
【図９】
2007282056.tif 000011
【図１０】
2007282056.tif 000012